(57)【特許請求の範囲】
【請求項１】
電気的な音声信号を機械的な振動に変換するスピーカ駆動ユニットと、
このスピーカ駆動ユニットに付勢されて振動し音を発生する振動体と、
この振動体を取付対象物に支持させるための緩衝体とを具備してなり、
前記振動体の一面に前記スピーカ駆動ユニットが設けられ、他面に前記緩衝体が設けられており、
建築床上に空間を介してフロアパネルを配した箇所に設置されるものであって、
前記空間内に、前記スピーカ駆動ユニットと、振動体と、緩衝体とが配されており、
前記振動体が、前記緩衝体を介して前記建築床上に支持されており、
前記振動体は、サウンドマスキング用の音を発生させるものであって、その周縁は他の部材に接続せずフロアパネルと建築床との間の空間内で浮いた状態とされる音響システム。
【請求項２】
電気的な音声信号を機械的な振動に変換するスピーカ駆動ユニットと、
このスピーカ駆動ユニットに付勢されて振動し音を発生する振動体と、
この振動体を取付対象物に支持させるための緩衝体とを具備してなり、
前記振動体の一面に前記スピーカ駆動ユニットが設けられ、他面に前記緩衝体が設けられており、
建築スラブの下方に空間を介して天井板を配した箇所に設置されるものであって、
前記空間内に、前記スピーカ駆動ユニットと、振動体と、緩衝体とが配されており、
前記振動体が、前記緩衝体を介して前記天井板上に支持されており、
前記振動体は、サウンドマスキング用の音を発生させるものであって、その周縁は他の部材に接続せず天井板と建築スラブとの間の空間内で浮いた状態とされる音響システム。
【請求項３】
前記振動体が、平板状のものである請求項１または２記載の音響システム。
【請求項４】
前記緩衝体が、弾性を有した材料により作られたものである請求項１、２または３記載の音響システム。
【発明の詳細な説明】
【技術分野】
【０００１】
本発明は、いわゆるサウンドマスキング用途に好適に使用できる音響システムに関する。
【背景技術】
【０００２】
従来、この種の音響システムとして、振動板の一面にスピーカ駆動ユニットを添着し、その振動板の振動により音を発生させるものが知られている（例えば、特許文献１を参照）。
【０００３】
ところが、従来のものは、振動板として既存の案内表示板や天板あるいは天井板等を直接用いているものであった。すなわち、従来のものは、案内表示板や天板あるいは天井板等の裏面にスピーカ駆動ユニットを固着し、それら案内表示板や天板あるいは天井板等の表面から音が発せられるようになっている。
【０００４】
そのため、案内表示板や天板あるいは天井板等の大きさや厚み等によって発生する音の特性が一定の領域に限られてしまい、用途に応じて音響特性を自由に設定することが難しいという問題があった。
【先行技術文献】
【特許文献】
【０００５】
【特許文献１】特開２００１−３５９１８８号公報
【発明の概要】
【発明が解決しようとする課題】
【０００６】
本発明は、以上のような事情に着目してなされたものであり、用途に応じて音響特性を比較的自由に設定することができる音響システムを提供することを目的とする。
【課題を解決するための手段】
【０００７】
本発明は、以上のような課題を解決するために、次のような構成を採用したものである。すなわち、本発明に係る音響システムは、電気的な音声信号を機械的な振動に変換するスピーカ駆動ユニットと、このスピーカ駆動ユニットに付勢されて振動し音を発生する振動体と、この振動体を取付対象物に支持させるための緩衝体とを具備してなり、前記振動体の一面に前記スピーカ駆動ユニットが設けられ、他面に前記緩衝体が設けられていることを特徴とする。
【０００８】
このようなものであれば、音を発生する振動体を緩衝体を介して取付対象物に支持させているので、取付対象物の固有の性質に影響されることなく、用途に応じて音響特性を比較的自由に設定することができる。
【０００９】
前記振動体としては、平板状のものが好ましい。
【００１０】
前記緩衝体としては、弾性を有した材料により作られたものが好ましい。
【００１１】
このような音響システムの設置態様の具体的な一例としては、建築床上に空間を介してフロアパネルを配した箇所に設置されるものであって、前記空間内に、前記スピーカ駆動ユニットと、振動体と、緩衝体とが配されており、前記振動体が、前記緩衝体を介して前記建築床上に支持され、サウンドマスキング用の音を発生させるものであって、その周縁が他の部材に接続せずフロアパネルと建築床との間の空間内で浮いた状態とされているものが挙げられる。
【００１２】
また、他の一例としては、建築スラブの下方に空間を介して天井板を配した箇所に設置されるものであって、前記空間内に、前記スピーカ駆動ユニットと、振動体と、緩衝体とが配されており、前記振動体が、前記緩衝体を介して前記天井板上に支持され、サウンドマスキング用の音を発生させるものであって、その周縁が他の部材に接続せず天井板と建築スラブとの間の空間内で浮いた状態とされているものが挙げられる。
【発明の効果】
【００１５】
本発明は、以上のような構成であるから、用途に応じて音響特性を比較的自由に設定することができる音響システムを提供できる。
【図面の簡単な説明】
【００１６】
【図１】本発明の第一実施形態の音響システムを設置した状態を模式的に示す概略図。
【図２】同実施形態の音響システムをカバーを付けて設置した状態を拡大して示す斜視図。
【図３】同実施形態の音響システムを設置した状態を示す斜視図。
【図４】同実施形態の音響システムを一部破断して示す側面図。
【図５】本発明の第二実施形態の音響システムを設置した状態を模式的に示す概略図。
【図６】同実施形態の音響システムをカバーを付けて設置した状態を拡大して示す斜視図。
【図７】本発明と関連する音響システムを設置した状態を模式的に示す概略図。
【図８】本発明と関連する音響システムを設置した状態を模式的に示す概略図。
【図９】本発明と関連する音響システムを設置した状態を模式的に示す概略図。
【発明を実施するための形態】
【００１７】
以下、本発明の第一実施形態について図１ないし図４を参照して説明する。
【００１８】
この実施形態は、本発明にかかる音響システム１を建築床Ａ１上に空間Ａ２を介してフロアパネルＡ３を配した箇所に設置した場合のものであり、例えばサウンドマスキング効果を発揮させるように構成されている。なお、図１では、サウンドマスキング用の音の伝搬方向を破線により模式的に示している。
【００１９】
この音響システム１は、図１ないし図４に示すように、電気的な音声信号を機械的な振動に変換するスピーカ駆動ユニット２と、このスピーカ駆動ユニット２に付勢されて振動し音を発生する振動体３と、この振動体３を取付対象物である建築床Ａ１に支持させるための緩衝体４とを具備してなるものであり、前記空間Ａ２内に配されている。
【００２０】
スピーカ駆動ユニット２は、図１ないし図４に示すように、フレーム５と、このフレーム５に取り付けられ軸心まわりに円環状をなして形成された磁気ギャップ６５を有する磁気回路６と、この磁気回路６の磁気ギャップ６５に係わらせて設けられ前記軸心方向に沿って進退可能な駆動体７と、この駆動体７を進退動作を許容した状態でフレーム５に支持させるダンパ８とを備えている。なお、このスピーカ駆動ユニット２は、図２に示すように、板状をなす金属製のカバーＢによって覆われている。このカバーＢは、スピーカ駆動ユニット２の磁気回路６側に図示しないクッション材を介した状態で当接するものであり、後述するヨーク６２にクッション材を介して取り付けられるカバー本体Ｂ１と、このカバー本体Ｂ１の対向する一対の側縁から前記フレーム５を覆うように垂下する垂下部Ｂ２と、前記カバー本体Ｂ１の対向する一対の他の側縁から垂下する連結部Ｂ３と、これら連結部Ｂ３の下端縁からそれぞれ延出し前記振動体３に取り付けられる取付部Ｂ４とを備えている。
【００２１】
フレーム５は、図３及び図４に示すように、円筒状をなすもので、一端部外周に鍔部５１を備えている。そして、このフレーム５の内周に前記磁気回路６を装着するとともに、前記鍔部５１の下面５２に前記ダンパ８の外周縁部８１を取り付けている。鍔部５１の一部には、端子取付部５３が設けられており、この端子取付部５３に取り付けた絶縁ベース５４の両端に対をなす端子５５が設けられている。このフレーム５は、合成樹脂により一体に作られている。
【００２２】
磁気回路６は、図４に示すように、円盤状をなす第一の永久磁石６１と、この第一の永久磁石６１の一方の極をなす一端面に添設されたお椀形をなすヨーク６２と、前記第一の永久磁石６１の他方の極をなす他端面に添設された円盤状をなすプレート６３と、このプレート６３における第一の永久磁石６１と反対側に添設された円盤状をなす第二の永久磁石６４とを備えたもので、前記ヨーク６２の内周面と前記プレート６３の外周面との間に前記円環状をなす磁気ギャップ６５が形成されている。ヨーク６２及びプレート６３は、磁性体材料により作られている。なお、このように第一、第二の永久磁石６１、６４の間に鉄板であるプレート６３を挟持した構成とすると、磁界を強める働きが得られる。
【００２３】
駆動体７は、図４に示すように、円筒状をなすコイルボビン７１と、このコイルボビン７１に巻装されたボイスコイル７２とを備えたもので、前記ボイスコイル７２を前記磁気ギャップ６５内に位置させている。前記ボイスコイル７２の両端は、リード線７４を介して前記端子５５にそれぞれ電気的に接続されている。コイルボビン７１の外方端には、鍔状をなす取付部７３が形成されており、この取付部７３が前記振動体３に取り付けられる。
【００２４】
ダンパ８は、図４に示すように、波紋状をなす弾性変形可能な板材により構成された円環状をなすもので、外周縁部８１に対して内周縁部８２が厚み方向に容易に変位し得るように構成されている。前記駆動体７のコイルボビン７１は、このダンパ８の内周縁部８２に支持されている。
【００２５】
振動体３は、図１ないし図４に示すように、長方形状をなす平板状のもので、その中央部における一面３１に前記スピーカ駆動ユニット２の駆動体７が取り付けられている。具体的には、前記コイルボビン７１の取付部７３が両面テープを介して振動体３の一面３１に貼着されている。そして、この振動体３の他面３２における角部に前記緩衝体４が設けられている。
【００２６】
緩衝体４は、図１、図３及び図４に示すように、弾性を有した材料、例えば低反発ウレタン等の低反発特性を有する材料やゴム等の弾性体により作られたものであり、前記振動体３を前記建築床Ａ１面に遊動可能に支持させている。
【００２７】
このような構成のものであれば、前記スピーカ駆動ユニット２の両端子５５にサウンドマスキング用の音声信号を与えることにより、前記振動体３からサウンドマスキング用の音が発生する。この音は、フロアパネルＡ３を通してその上に形成されているブースＡ４上に広がり、サウンドマスキング効果が発揮される。ここで、サウンドマスキング用の音は、作業に伴って発生する騒音、各種機器の作動音、他人の会話、生活騒音等をマスキングする効果のある音とする。好適なマスキング用の音としては、ピンクノイズ（少なくとも可聴域にて、パワーが周波数に反比例する傾向を有した雑音）、ホワイトノイズ（少なくとも可聴域にて、パワーが周波数によらず略均一な傾向を有した雑音）等が挙げられる。このようなサウンドマスキング効果により、ブースＡ４内に所在する者は、内外で発生する機器作動音や他人の会話等を気にすることなく作業に集中できるようになる。
【００２８】
また、スピーカ駆動ユニット２をフロアパネルＡ３の下側の空間Ａ２に設置することにより、今まで不可能と思われた場所から音を発生させることができる。そして、ブースＡ４の通常の使用者からは見えない場所にスピーカ駆動ユニット２を取り付けられるので、さりげない音環境を作ることができる。
【００２９】
このように、本実施形態の音響システム１によれば、電気的な音声信号を機械的な振動に変換するスピーカ駆動ユニット２と、このスピーカ駆動ユニット２に付勢されて振動し音を発生する振動体３と、この振動体３を取付対象物に支持させるための緩衝体４とを具備してなるので、取付対象物たる建築床Ａ１の固有の特性（例えば、大きさや厚み等）に影響されることなく、種々の音響効果を演出することができる。そのため、この音響システム１の設置場所の自由度を高めることができる。
【００３０】
また、振動体３が、平板状のものであるので、平坦な建築床Ａ１やフロアパネルＡ３に対して平行に配置することができる。また、この振動体３は、平面的な板を振動させるので、従来の無指向性のスピーカに比べて、この音響システム１周辺のどこにいても同じように音が聞こえる。さらに、この音響システム１自体の厚み寸法を小さくできるので、様々な場所に容易に取り付けることができるとともに、音響システム１の存在を利用者から容易に隠蔽できるという効果もある。
【００３１】
前記緩衝体４が、弾性を有したウレタン樹脂により作られたものであるので、クッション性を有して建築床Ａ１に振動体３を取り付けることができる。特に、本実施形態においては、長方形状をなす振動体３の角部に複数の緩衝体４を設けているので、比較的広い面積に広がる振動体３を下面側からしっかりと支持することができる。
【００３２】
さらに、振動体３が取付対象物たる建築床Ａ１の床面に緩衝体４を介して取り付けられているので、振動体３からマスキング用の音を均一にかつ鮮明に伝えることができる。そのため、マスキング用の音を広い範囲に行き渡らせるために、大音量とする必要がなくなる。なお、振動体３の裏面と建築床Ａ１との間のギャップを広くすると、音の拡散が大きくなり、前記ギャップを狭くすると、音の拡散が小さくなる。
【００３３】
特に、本実施形態のものは、主に配線挿通用に設けられた二重床部分に形成された空間Ａ２に設置しているので、スピーカ駆動ユニット２に接続される配線等の管理も含めて設置を容易に行うことができる。また、天井に設置する場合に比べて、設置作業を容易に行うことができる。
【００３４】
また、スピーカ駆動ユニット２にカバーＢが当接して取り付けられており、具体的には、このカバーＢのカバー本体Ｂ１がヨーク６２に間接的に接続されているため、スピーカ駆動ユニット２にテンションをかけることができる。そのため、スピーカ駆動ユニット２が過剰に振動してしまうことを抑制でき、このような過剰な振動による音の不具合の発生を解消することができる。
【００３５】
特に、前記空間Ａ２は、建築床Ａ１とフロアパネルＡ３との間の距離が比較的小さいが、前記カバーＢが、比較的厚みを有しない構造をしているため、このような高さの低い空間Ａ２にも好適に用いることができる。
【００３６】
次に、本発明の第二実施形態について図５を参照して説明する。
【００３７】
この実施形態は、本発明にかかる音響システム１を建築スラブＡ５の下方に空間Ａ６を介して天井板Ａ７を配した箇所に設置した場合のものであり、例えばサウンドマスキング効果を発揮させるように構成されている。なお、図５では、サウンドマスキング用の音の伝搬方向を破線により模式的に示している。
【００３８】
この音響システム１は、図５に示すように、電気的な音声信号を機械的な振動に変換するスピーカ駆動ユニット２と、このスピーカ駆動ユニット２に付勢されて振動し音を発生する振動体３と、この振動体３を取付対象物である天井板Ａ７に支持させるための緩衝体４とを具備してなるものであり、前記空間Ａ６内に配されている。
【００３９】
スピーカ駆動ユニット２は、前記第一実施形態のものと同一のものであるため、同一又は対応する部分には同一の符号を付して説明を省略する。なお、このスピーカ駆動ユニット２は、図６に示すように、箱状をなす合成樹脂製のカバーＣによって覆われている。このカバーＣは、スピーカ駆動ユニット２の磁気回路６側に図示しないクッション材を介した状態で当接するものであり、後述するヨーク６２にクッション材を介して取り付けられ矩形状をなすカバー本体Ｃ１と、このカバー本体Ｃ１の周縁から前記フレーム５を覆うように垂下する連結部Ｃ２と、これら連結部Ｃ２の下端縁から内側に延出し前記振動体３に取り付けられる取付部（図示せず）とを備えている。
【００４０】
振動体３は、長方形状をなす平板状のもので、その中央部における一面３１に前記スピーカ駆動ユニット２の駆動体７が取り付けられている。具体的には、前記コイルボビン７１の取付部７３が両面テープを介して振動体３の一面３１に貼着されている。そして、この振動体３の他面３２における角部に前記緩衝体４が設けられている。
【００４１】
緩衝体４は、弾性を有した材料、例えば低反発ウレタン等の低反発特性を有する材料やゴム等の弾性体により作られたものであり、前記振動体３を前記天井板Ａ７の上面に遊動可能に支持させている。
【００４２】
このような構成のものであれば、前記スピーカ駆動ユニット２の両端子５５にサウンドマスキング用の音声信号を与えることにより、前記振動体３からサウンドマスキング用の音が発生する。この音は、天井板Ａ７を通してその下に形成されているブースＡ８に広がり、サウンドマスキング効果が発揮される。
【００４３】
さらに、第一実施形態の効果と同様の効果、またはこれに準じた効果が得られる。
【００４４】
次に、本発明と関連する音響システムについて図７を参照して説明する。
【００４５】
これは、本発明にかかる音響システム１を天板Ａ９の下方に設置した場合のものであり、例えばテレビ会議用の音声出力装置として利用されるように構成されている。なお、図７では、テレビ会議等で発せられる音声の伝搬方向を破線により模式的に示している。
【００４６】
この音響システム１は、図７に示すように、電気的な音声信号を機械的な振動に変換するスピーカ駆動ユニット２と、このスピーカ駆動ユニット２に付勢されて振動し音を発生する振動体３と、この振動体３を取付対象物である天板Ａ９に支持させるための緩衝体４とを具備してなるものであり、前記天板Ａ９の下方に配されている。
【００４７】
スピーカ駆動ユニット２は、前記第一実施形態のものと同一のものであるため、同一又は対応する部分には同一の符号を付して説明を省略する。なお、このスピーカ駆動ユニット２には、前記第二実施形態に示したカバーＣと同様のカバーを適用することができる。
【００４８】
振動体３は、長方形状をなす平板状のもので、その中央部における一面３１に前記スピーカ駆動ユニット２の駆動体７が取り付けられている。具体的には、前記コイルボビン７１の取付部７３が両面テープを介して振動体３の一面３１に貼着されている。そして、この振動体３の他面３２における角部に前記緩衝体４が設けられている。
【００４９】
緩衝体４は、弾性を有した材料、例えば低反発ウレタン等の低反発特性を有する材料やゴム等の弾性体により作られたものであり、前記振動体３を前記天板Ａ９の下面に遊動可能に支持させている。
【００５０】
このような構成のものであれば、前記スピーカ駆動ユニット２の両端子５５に音声信号を与えることにより、前記振動板から音が発生する。この音は、天板Ａ９の下面等を通してその天板Ａ９付近に着座している着座者に伝わり、テレビ会議用の音声出力装置としての効果が発揮される。
【００５１】
特に、近年、テーブル等の天板の下面に直接スピーカ駆動ユニットを取り付けて、天板を振動体として使用する態様が考えられている。ところが、天板における固有の特性（例えば、材質や大きさ、厚み等）によっては、天板に生じる振動により天板と脚との間に設けられた接続用のねじがゆるんだり外れてしまったりするという問題が生じている。そして、このような問題は、天板を有するテーブルに限らず、ねじを用いて組み立てられる他の家具にも同様に生じるものである。そのため、このスピーカ駆動ユニットを取り付けてスピーカとして機能させ得る応用範囲が狭くなってしまっていた。ところが、図７に示すように、緩衝体４を介して振動体３を取付対象物たる天板Ａ９に取り付けるようにしているので、緩衝体４によって振動体３の振動がある程度吸収され、天板Ａ９は従来ほど振動しなくなる。そのため、従来生じていたような、ねじのゆるみや外れといった問題を解消することができる。さらに、天板Ａ９自体の振動が抑えられるので、音が発せられた状態で書き物等の天板Ａ９上の作業を支障なく行うことができる。
【００５２】
次に、本発明と関連する音響システムについて図８を参照して説明する。
【００５３】
これは、本発明にかかる音響システム１を面板Ａ１２間に空間Ａ１１を形成した間仕切Ａ１０内に設置される場合のものであり、例えばサウンドマスキング効果を発揮させるように構成されている。なお、図８では、サウンドマスキング用の音の伝搬方向を破線により模式的に示している。
【００５４】
この音響システム１は、図８に示すように、電気的な音声信号を機械的な振動に変換するスピーカ駆動ユニット２と、このスピーカ駆動ユニット２に付勢されて振動し音を発生する振動体３と、この振動体３を取付対象物である両面板Ａ１２に支持させるための緩衝体４とを具備してなるものであり、前記両面板Ａ１２間に配されている。
【００５５】
スピーカ駆動ユニット２は、前記第一実施形態のものと同一のものであるため、同一又は対応する部分には同一の符号を付して説明を省略する。なお、このスピーカ駆動ユニット２には、前記第二実施形態に示したカバーＣと同様のカバーを適用することができる。
【００５６】
振動体３は、長方形状をなす平板状のもので、その中央部における一面３１に前記スピーカ駆動ユニット２の駆動体７が取り付けられている。具体的には、前記コイルボビン７１の取付部７３が両面テープを介して振動体３の一面３１に貼着されている。そして、この振動体３の両側縁に前記緩衝体４が設けられている。
【００５７】
緩衝体４は、弾性を有した材料、例えば低反発ウレタン等の低反発特性を有する材料やゴム等の弾性体により作られたものであり、前記振動体３を前記両面板Ａ１２の内面に遊動可能に支持させている。
【００５８】
このような構成のものであれば、前記スピーカ駆動ユニット２の両端子５５にサウンドマスキング用の音声信号を与えることにより、前記振動体３からサウンドマスキング用の音が発生する。この音は、面板Ａ１２や面板Ａ１２間に形成されている空間の下端開放部分を通してその外部に形成されているブースＡ１３に広がり、サウンドマスキング効果が発揮される。
【００５９】
さらに、第一実施形態の効果と同様の効果、またはこれに準じた効果が得られる。
【００６０】
特に、図８に示す音響システムは、振動体３から下方に発せられた音が面板Ａ１２間の空間内を伝搬し、床面で反射したり、面板Ａ１２を振動させたりしてブースＡ１３内に広がり、機器作動音や他人の会話等をマスキングする作用を営むことができる上、音の出所が明確に知覚されることがなく、音の出所の隠蔽に一層好都合である。
【００６１】
しかも、室内に間仕切Ａ１０を配置することを通じてスピーカの設置が完了するため、床下や天井裏にスピーカを敷設する場合のような施工コストの負担も不要である。
【００６２】
次に、本発明と関連する音響システムについて図９を参照して説明する。
【００６３】
これは、音響システム１を建築床Ａ１４上に空間Ａ１５を介してフロアパネルＡ１６を配した箇所に設置した場合のものであり、例えばサウンドマスキング効果を発揮させるように構成されている。なお、図９では、サウンドマスキング用の音の伝搬方向を破線により模式的に示している。
【００６４】
この音響システム１は、図９に示すように、電気的な音声信号を機械的な振動に変換するスピーカ駆動ユニット２と、このスピーカ駆動ユニット２に付勢されて振動し音を発生する振動体３と、この振動体３を取付対象物である建築床Ａ１４に支持させるための緩衝体４とを具備してなるものであり、前記空間Ａ１５内に配されている。
【００６５】
スピーカ駆動ユニット２は、前記第一実施形態のものと同一のものであるため、同一又は対応する部分には同一の符号を付して説明を省略する。なお、このスピーカ駆動ユニット２には、前記第一実施形態に示したカバーＢと同様のカバーを適用することができる。
【００６６】
振動体３は、長方形状をなす平板状のもので、その中央部における一面３１たる下面側に前記スピーカ駆動ユニット２の駆動体７が取り付けられている。具体的には、前記コイルボビン７１の取付部７３が両面テープを介して振動体３の一面３１に貼着されている。そして、この振動体３の一面３１における角部に前記緩衝体４が設けられている。
【００６７】
緩衝体４は、弾性を有した材料、例えば低反発ウレタン等の低反発特性を有する材料やゴム等の弾性体により作られたものであり、前記振動体３を前記天井板Ａ７の上面に遊動可能に支持させている。
【００６８】
このような構成のものであれば、前記スピーカ駆動ユニット２の両端子５５にサウンドマスキング用の音声信号を与えることにより、前記振動板からサウンドマスキング用の音が発生する。この音は、天井板Ａ７を通してその下に形成されているブースＡ１７に広がり、サウンドマスキング効果が発揮される。
【００６９】
さらに、第一実施形態の効果と同様の効果、またはこれに準じた効果が得られる。
【００７０】
特に、図９に示す音響システムでは、振動体３の下面側にスピーカ駆動ユニット２を取り付けるようにしているので、振動体３の上面側から音が発せられる。そのため、特定の一部分のみに音を発することができるいわゆるスポット型のスピーカとして利用することができる。
【００７１】
なお、本発明は以上に述べた実施形態に限られない。
【００７２】
本発明の音響システムは、上述した箇所に設置されるものの他に、床面から天井までいたるパーティション又は床面から立設し天井まで至らないローパーティション並びに移動可能なスクリーンに適用したものや、壁面から空間を空けて配される壁面パネル等に適用したものであってもよい。また、テレビ会議用の音声出力装置として利用されるものとしては、天板を有するテーブルの他、天板を有するテーブル以外の家具やホワイトボード等に本発明の音響システムを適用するものであってもよい。
【００７３】
また、図８に示したような音響システムを面板間に空間を形成した間仕切内に設置される場合の変形例として、振動体を対向する一対の面板のうち取付対象物である一方の面板にのみ支持させるための緩衝体を備えているものであってもよい。振動体を片方の面板のみに支持するように構成する場合には、板状をなす振動体をこの振動体を取り付ける面板に平行になるように設ければよい。
【００７４】
緩衝体の材質は、低発泡ウレタンや低反発ウレタンのような反発抵抗の低い低反発特性を有する合成樹脂の他、低反発特性を有しない防振ゴム等の弾性体など種々のものを用いることができる。
【００７５】
サウンドマスキング用の音は、上述したホワイトノイズ、ピンクノイズの他、これらのノイズではない音、環境音楽または楽曲類を出力しても構わない。
【００７６】
また、上述の実施形態で示したカバーＢ、Ｃは、本発明の音響システムの必須の構成要素ではなく、スピーカ駆動ユニットに取り付けられるカバーの形状や大きさ、取付態様等は、上述したものに限られず種々変更可能である。
【００７７】
その他、本発明の趣旨を損ねない範囲で種々に変更してよい。
【符号の説明】
【００７８】
１…音響システム
２…スピーカ駆動ユニット
３…振動体
４…緩衝体
Ａ１、Ａ１４…建築床
Ａ２、Ａ６、Ａ１１、Ａ１５…空間
Ａ３、Ａ１６…フロアパネル
Ａ５…建築スラブ
Ａ７…天井板
Ａ９…天板
Ａ１０…間仕切
Ａ１２…面板
【図１】
0005877295.tif 000002
【図２】
0005877295.tif 000003
【図３】
0005877295.tif 000004
【図４】
0005877295.tif 000005
【図５】
0005877295.tif 000006
【図６】
0005877295.tif 000007
【図７】
0005877295.tif 000008
【図８】
0005877295.tif 000009
【図９】
0005877295.tif 000010